【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
仮想的データ長期保存を実行する方法において：
バックアップ用目録に複数個の仮想的データ長期保存処理ルールを適用し;
前記バックアップ用目録に複数個の仮想的データ長期保存処理ルールを適用した結果の少なくとも一部分に基づき、前記バックアップ用目録の一部または複数部分に関連する仮想的データ長期保存用目録であり、当該仮想的データ長期保存用目録は少なくとも１つの仮想的データ長期保存用イメージで構成される仮想的データ長期保存用目録を生成し;
前記少なくとも１つの仮想的データ長期保存用イメージのデータ保存期限切れ前に、前記少なくとも１つの仮想的データ長期保存用イメージに関連する１つのバックアップ用イメージがデータ保存期限切れになるか否かを決定し;そして、
前記少なくとも１つの仮想的データ長期保存用イメージのデータ保存期限切れ前に、前記バックアップ用イメージがデータ保存期限切れになる場合には、前記少なくとも１つの仮想的データ長期保存用イメージの少なくとも一部分に基づきデータ長期保存用イメージを生成する；
各ステップで構成されたことを特徴とする仮想的データ長期保存を実行する方法。
【請求項２】
前記バックアップ用イメージが、ネットワークに接続された記憶装置に格納されるように構成されたことを特徴とする請求項１記載の仮想的データ長期保存を実行する方法。
【請求項３】
前記データ長期保存用イメージが、ネットワークに接続された記憶装置に格納されるように構成されたことを特徴とする請求項１記載の仮想的データ長期保存を実行する方法。
【請求項４】
前記データ長期保存用イメージを生成するステップが、更に前記バックアップ用イメージをデータ長期保存用イメージに同一記憶領域で変換するステップで構成されたことを特徴とする請求項１記載の仮想的データ長期保存を実行する方法。
【請求項５】
前記データ長期保存用イメージを生成するステップが、更に前記データ長期保存用イメージにデータ長期保存処理するために必要なデータ項目をコピーするステップで構成されたことを特徴とする請求項１記載の仮想的データ長期保存を実行する方法。
【請求項６】
前記データ長期保存用イメージにデータ長期保存処理するために必要なデータ項目をコピーするステップが、前記バックアップ用イメージがデータ保存期限切れになる前に実行されるように構成されたことを特徴とする請求項５記載の仮想的データ長期保存を実行する方法。
【請求項７】
前記データ長期保存用イメージにデータ長期保存処理するために必要なデータ項目をコピーするステップが、前記バックアップ用イメージがデータ保存期限切れになる後に実行されるように構成されたことを特徴とする請求項５記載の仮想的データ長期保存を実行する方法。
【請求項８】
前記データ長期保存用イメージを生成するステップ後に、更に前記バックアップ用イメージがデータ保存期限切れになったとマーク付けをするステップを有するように構成されたことを特徴とする請求項１記載の仮想的データ長期保存を実行する方法。
【請求項９】
前記データ長期保存用イメージを生成するステップが、更に
前記バックアップ用イメージをデータ長期保存用イメージに同一記憶領域で変換することが可能であると判断し；そして
前記バックアップ用イメージを前記データ長期保存用イメージに同一記憶領域で変換する；
各ステップで構成されたことを特徴とする請求項１記載の仮想的データ長期保存を実行する方法。
【請求項１０】
前記データ長期保存用イメージを生成するステップが、更に
前記バックアップ用イメージをデータ長期保存用イメージに同一記憶領域で変換することが出来ないと判断し；そして
前記データ長期保存用イメージにデータ長期保存処理するのに必要とする複数個のデータ項目をコピーする；
各ステップで構成されたことを特徴とする請求項１記載の仮想的データ長期保存を実行する方法。
【請求項１１】
請求項１記載の方法を実行するためのコンピュータプロセスを実行するように、少なくとも1つのプロセッサへ命令するために、少なくとも1つのプロセッサによって読み込み可能に構成される複数個の命令を含むコンピュータ・プログラムを格納するための少なくとも一つのプロセッサで読取り可能なキャリア。
【請求項１２】
仮想的データ長期保存を実行するシステムにおいて：
バックアップ用目録に複数個の仮想的データ長期保存処理ルールを適用する手段と;
前記バックアップ用目録に複数個の仮想的データ長期保存処理ルールを適用した結果の少なくとも一部分に基づき、前記バックアップ用目録の一部または複数部分に関連する仮想的データ長期保存用目録であり、当該仮想的データ長期保存用目録は少なくとも１つの仮想的データ長期保存用イメージで構成される仮想的データ長期保存用目録を生成する手段と;
前記少なくとも１つの仮想的データ長期保存用イメージのデータ保存期限切れ前に、前記少なくとも１つの仮想的データ長期保存用イメージに関連する１つのバックアップ用イメージがデータ保存期限切れになるか否かを決定する手段と;そして、
前記少なくとも１つの仮想的データ長期保存用イメージのデータ保存期限切れ前に、前記バックアップ用イメージがデータ保存期限切れになる場合には、前記少なくとも１つの仮想的データ長期保存用イメージの少なくとも一部分に基づきデータ長期保存用イメージを生成する手段；
とで構成されたことを特徴とする仮想的データ長期保存を実行するシステム。
【請求項１３】
前記バックアップ用イメージが、ネットワークに接続された記憶装置に格納されるように構成されたことを特徴とする請求項12記載の仮想的データ長期保存を実行するシステム。
【請求項１４】
前記データ長期保存用イメージが、ネットワークに接続された記憶装置に格納されるように構成されたことを特徴とする請求項13記載の仮想的データ長期保存を実行するシステム。
【請求項１５】
更にネットワークと接続した記憶装置と接続されたネットワークで構成されたことを特徴とする請求項14記載の仮想的データ長期保存を実行するシステム。
【請求項１６】
仮想的データ長期保存を実行するシステムにおいて、当該システムはネットワークに接続したコンピュータ装置を有し、当該コンピュータ装置は；
バックアップ用目録に複数個の仮想的データ長期保存処理ルールを適用し;
前記バックアップ用目録に複数個の仮想的データ長期保存処理ルールを適用した結果の少なくとも一部分に基づき、前記バックアップ用目録の一部または複数部分に関連する仮想的データ長期保存用目録であり、当該仮想的データ長期保存用目録は少なくとも１つの仮想的データ長期保存用イメージで構成される仮想的データ長期保存用目録を生成し;
前記少なくとも１つの仮想的データ長期保存用イメージのデータ保存期限切れ前に、前記少なくとも１つの仮想的データ長期保存用イメージに関連する１つのバックアップ用イメージがデータ保存期限切れになるか否かを決定し;そして、
前記少なくとも１つの仮想的データ長期保存用イメージのデータ保存期限切れ前に、前記バックアップ用イメージがデータ保存期限切れになる場合には、前記少なくとも１つの仮想的データ長期保存用イメージの少なくとも一部分に基づきデータ長期保存用イメージを生成する；
ように構成されたコンピュータ装置を有することを特徴とする仮想的データ長期保存を実行するシステム。
【請求項１７】
前記コンピュータ装置が、バックアップサーバであるように構成されたことを特徴とする請求項14記載の仮想的データ長期保存を実行するシステム。
【請求項１８】
前記データ長期保存用イメージを生成する構成が、更に
前記バックアップ用イメージをデータ長期保存用イメージに同一記憶領域で変換することが出来ないと判断する機能と；そして
前記データ長期保存用イメージにデータ長期保存処理するのに必要とする複数個のデータ項目をコピーする機能；
とで構成されたことを特徴とする請求項16記載の仮想的データ長期保存を実行するシステム。
【請求項１９】
前記データ長期保存用イメージを生成する構成が、更に
前記バックアップ用イメージをデータ長期保存用イメージに同一記憶領域で変換することが可能であると判断する機能と；そして
前記バックアップ用イメージを前記データ長期保存用イメージに同一記憶領域で変換する機能；
とで構成されたことを特徴とする請求項16記載の仮想的データ長期保存を実行するシステム。
【請求項２０】
前記仮想的データ長期保存用イメージは、前記バックアップ用イメージの一又は複数部分をコピーすることなく、当該バックアップ用イメージの一又は複数部分をデータ長期保存処理することを可能にしながら、当該当該バックアップ用イメージの一又は複数部分を参照するように構成されたことを特徴とする請求項１記載の仮想的データ長期保存を実行する方法。